(57)【要約】【課題】筐体をスライド移動させる際のがたつきを抑制することが可能な携帯端末装置を提供する。【解決手段】この携帯電話機１００（携帯端末装置）は、表示部３４が設けられ、ガイド部３２ａを有する表示部側筐体３３（ケーシング３２部材）と、操作回路基板１４および操作キー部１５が設けられ、ガイド部１１ａを有する操作部側筐体１３（蓋部材１１）と、表示部側筐体３３と操作部側筐体１３との間に配置され、表示部側筐体３３を、操作部側筐体１３に対して、Ｘ方向およびＹ方向に相対的にスライド移動させるためのスライドプレート５０と、ガイド部１１ａとスライドプレート５０との間に配置されるスライダ５１と、ガイド部３２ａとスライドプレート５０との間に配置されるスライダ５２とを備える。そして、ガイド部１１ａは、スライダ５１を介してスライドプレート５０と係合され、ガイド部３２ａは、スライダ５２を介してスライドプレート５０と係合されている。【選択図】図６
2011015181.tif 000002
【特許請求の範囲】
【請求項１】
操作部が設けられ、操作部側ガイド部を有する操作部側筐体と、
表示部が設けられ、表示部側ガイド部を有する表示部側筐体と、
前記表示部側筐体と前記操作部側筐体との間に配置され、前記表示部側筐体を、前記操作部側筐体に対して、第１方向および前記第１方向に対して交差する第２方向に相対的にスライド移動させるためのスライドプレートと、
前記操作部側筐体の操作部側ガイド部と前記スライドプレートとの間に配置される第１スライド部材と、
前記表示部側筐体の表示部側ガイド部と前記スライドプレートとの間に配置される第２スライド部材とを備え、
前記操作部側筐体の操作部側ガイド部は、前記第１スライド部材を介して前記スライドプレートと係合され、前記表示部側筐体の表示部側ガイド部は、前記第２スライド部材を介して前記スライドプレートと係合されている、携帯端末装置。
【請求項２】
前記スライドプレートは金属製であり、前記第１スライド部材および前記第２スライド部材は、それぞれ、樹脂製である、請求項１に記載の携帯端末装置。
【請求項３】
前記操作部側ガイド部は、前記操作部側筐体に一体的に設けられているとともに、前記表示部側ガイド部は、前記表示部側筐体に一体的に設けられている、請求項１または２に記載の携帯端末装置。
【請求項４】
前記スライドプレートは、前記第１方向に延びるように設けられた第１係合部と、前記第２方向に延びるように設けられた第２係合部とを含み、
前記第１スライド部材は、前記スライドプレートの第１係合部を挟み込むように配置された状態で、前記操作部側筐体の操作部側ガイド部に係合されており、
前記第２スライド部材は、前記スライドプレートの第２係合部を挟み込むように配置された状態で、前記表示部側筐体の表示部側ガイド部に係合されている、請求項１〜３のいずれか１項に記載の携帯端末装置。
【請求項５】
前記表示部側筐体を、前記操作部側筐体に対して前記第１方向にスライド移動させた場合に用いる第１操作キーと、前記表示部側筐体を、前記操作部側筐体に対して前記第２方向にスライド移動させた場合に用いる第２操作キーとを含む１つの操作キー部をさらに備える、請求項１〜４のいずれか１項に記載の携帯端末装置。
【請求項６】
前記スライドプレートと前記操作部側筐体との間を連結するように設けられ、前記表示部側筐体を前記操作部側筐体に対して前記第１方向に相対的にスライド移動させる際に、前記第１方向へのスライド移動方向に付勢力を発生させる第１バネ部材と、
前記スライドプレートと前記表示部側筐体との間を連結するように設けられ、前記表示部側筐体を前記操作部側筐体に対して前記第２方向に相対的にスライド移動させる際に、前記第２方向へのスライド移動方向に付勢力を発生させる第２バネ部材とをさらに備える、請求項１〜５のいずれか１項に記載の携帯端末装置。
【発明の詳細な説明】
【技術分野】
【０００１】
この発明は、携帯端末装置に関し、特に、表示部側筐体が操作部側筐体に対してスライド移動可能な携帯端末装置に関する。
【背景技術】
【０００２】
従来、表示部側筐体が操作部側筐体に対してスライド移動可能な携帯端末装置が知られている（たとえば、特許文献１〜３参照）。
【０００３】
上記特許文献１には、表示部を有する蓋体と、操作部を有するベース体と、蓋体とベース体との間に挟まれて配置された板状のスライド部材とを備えた電子機器（携帯端末装置）が開示されている。この電子機器では、蓋体とベース体とが完全に重ねられた状態から、蓋体がスライド部材を介してベース体に対して縦方向にスライド移動することにより携帯電話として使用されるとともに、蓋体がスライド部材を介して横方向にスライド移動することによりＰＣ端末として使用されるように構成されている。なお、スライド部材には、縦方向および横方向に沿って延びる４辺に薄板状のエッジ部が形成されており、各々のエッジ部が、蓋体およびベース体の各々に取り付けられた溝状のガイド部に直接嵌め込まれた状態でガイド部に対して摺動するように構成されている。これにより、蓋体がベース体に対して縦方向および横方向にそれぞれスライド移動されるように構成されている。
【０００４】
また、上記特許文献２には、表示部を有する第１部材と、操作部を有する第２部材と、第１部材と第２部材との間に挟まれて配置された金属製のベース体（スライドプレート）とを備えた電子機器（携帯端末装置）が開示されている。この電子機器では、第１部材が第２部材上に完全に重ねられた状態から、第１部材がベース体を介して第２部材に対して第１方向（縦方向）にスライド移動するとともに、第１部材がベース体を介して第２方向（横方向）にスライド移動することにより、電子機器の形態（形状）に応じて携帯電話や情報入力端末などとして使用されるように構成されている。なお、ベース体の側端部に、長手方向（第１方向）に沿って延びる一対の薄板状のエッジ部が形成されており、このエッジ部が、第２部材側に取り付けられた溝状のガイドレール部を有する第１スライド体に直接嵌め込まれた状態でガイドレール部に対して摺動するように構成されている。また、ベース体の上面に、短手方向（第２方向）に沿って延びる一対のガイドレール部が板金を切り起こして形成されており、第１部材側に取り付けられた第２スライド体の薄板状のエッジ部が、ベース体のガイドレール部に直接嵌め込まれた状態でガイドレール部に対して摺動するように構成されている。
【０００５】
また、上記特許文献３には、表示部を有する第１筐体と、操作キー（操作部）を有する第２筐体とを備えた携帯型端末が開示されている。この携帯型端末では、第１筐体が第２筐体に完全に重ねられた状態から、第１筐体が第２筐体に対して縦方向にスライド移動するとともに、第１筐体が第２筐体に対して横方向にスライド移動することにより、携帯型端末の形態（形状）に応じてカメラや情報入力端末（ＰＤＡ）などとして使用されるように構成されている。なお、第１筐体の裏面側に設けられた円柱状の突起部が、第１筐体と重なる第２筐体の表面側に形成されたＬ字状のガイド溝に直接的に係合して溝内を移動することにより、第１筐体が第２筐体に対してスライド移動されるように構成されている。
【先行技術文献】
【特許文献】
【０００６】
【特許文献１】特開２００９−３６１４号公報
【特許文献２】特開２００８−２８３２７２号公報
【特許文献３】特開２００８−３３５９５号公報
【発明の概要】
【発明が解決しようとする課題】
【０００７】
しかしながら、上記特許文献１に記載の電子機器では、ベース体の薄板状のエッジ部が、蓋体およびベース体の各々に取り付けられた溝状のガイド部に直接嵌め込まれているため、エッジ部の厚みが薄い分、エッジ部とガイド部との間にがたつきが生じやすいと考えられる。したがって、蓋体を操作部に対してスライド移動させる際に、がたつきやすいという問題点がある。
【０００８】
また、上記特許文献２に記載の電子機器についても、ベース体の薄板状のエッジ部が、第２部材に取り付けられた溝状のガイドレール部に直接嵌め込まれているとともに、第１部材側に取り付けられた第２スライド体の薄板状のエッジ部が、ベース体のガイドレール部に直接嵌め込まれているため、ベース体のエッジ部および第２スライド体のエッジ部の厚みが薄い分、エッジ部とガイドレール部との間にがたつきが生じやすいと考えられる。したがって、第１部材を第２部材に対してスライド移動させる際に、がたつきやすいという問題点がある。
【０００９】
また、上記特許文献３に記載の携帯型端末では、第１筐体の円柱状の突起部が、第２筐体側のガイド溝に直接的に係合した状態で溝内を摺動するため、突起部とガイド溝との間にがたつきが生じやすいと考えられる。したがって、第１筐体を第２筐体に対してスライド移動させる際に、がたつきやすいという問題点がある。
【００１０】
この発明は、上記のような課題を解決するためになされたものであり、この発明の１つの目的は、筐体をスライド移動させる際のがたつきを抑制することが可能な携帯端末装置を提供することである。
【課題を解決するための手段および発明の効果】
【００１１】
この発明の一の局面による携帯端末装置は、操作部が設けられ、操作部側ガイド部を有する操作部側筐体と、表示部が設けられ、表示部側ガイド部を有する表示部側筐体と、表示部側筐体と操作部側筐体との間に配置され、表示部側筐体を、操作部側筐体に対して、第１方向および第１方向に対して交差する第２方向に相対的にスライド移動させるためのスライドプレートと、操作部側筐体の操作部側ガイド部とスライドプレートとの間に配置される第１スライド部材と、表示部側筐体の表示部側ガイド部とスライドプレートとの間に配置される第２スライド部材とを備え、操作部側筐体の操作部側ガイド部は、第１スライド部材を介してスライドプレートと係合され、表示部側筐体の表示部側ガイド部は、第２スライド部材を介してスライドプレートと係合されている。
【００１２】
この発明の一の局面による携帯端末装置では、上記のように、第１スライド部材および第２スライド部材を設けるとともに、操作部側筐体の操作部側ガイド部を、第１スライド部材を介してスライドプレートと係合させ、かつ、表示部側筐体の表示部側ガイド部を、第２スライド部材を介してスライドプレートと係合させることによって、スライドプレートと操作部側ガイド部との間、および、スライドプレートと表示部側ガイド部との間に、それぞれ、第１スライド部材および第２スライド部材が介在する分、スライドプレートと操作部側ガイド部との間の隙間、および、スライドプレートと表示部側ガイド部との間の隙間を、より小さくすることができる。これにより、表示部側筐体を操作部側筐体に対してスライド移動させる際に、表示部側筐体および操作部側筐体の両方のがたつきを抑制することができる。
【００１３】
上記一の局面による携帯端末装置において、好ましくは、スライドプレートは金属製であり、第１スライド部材および第２スライド部材は、それぞれ、樹脂製である。このように構成すれば、スライドプレートと第１（第２）スライダとが共に金属製である場合と比較して、スライドプレートと第１スライド部材とが擦れ合う際の摩擦音、および、スライドプレートと第２スライド部材とが擦れ合う際の摩擦音を、金属部材に対する樹脂部材の接触によって、より低減することができる。したがって、スライド移動時に発生する音を低減しながら、スライド移動時のがたつきを低減することができる。
【００１４】
上記一の局面による携帯端末装置において、好ましくは、操作部側ガイド部は、操作部側筐体に一体的に設けられているとともに、表示部側ガイド部は、表示部側筐体に一体的に設けられている。このように構成すれば、操作部側ガイド部を操作部側筐体とは別部材で設けたり、表示部側ガイド部を表示部側筐体とは別部材で設けたりする場合と異なり、携帯端末装置を構成する部品点数が増加するのを抑制することができる。その結果、スライド機構を簡素化させることができる。
【００１５】
上記一の局面による携帯端末装置において、好ましくは、スライドプレートは、第１方向に延びるように設けられた第１係合部と、第２方向に延びるように設けられた第２係合部とを含み、第１スライド部材は、スライドプレートの第１係合部を挟み込むように配置された状態で、操作部側筐体の操作部側ガイド部に係合されており、第２スライド部材は、スライドプレートの第２係合部を挟み込むように配置された状態で、表示部側筐体の表示部側ガイド部に係合されている。このように構成すれば、第１スライド部材および第２スライド部材は、共にスライドプレートを挟み込んだ状態で摺動可能に保持することができるので、表示部側筐体を操作部側筐体に対してスライド移動させる際に、双方の筐体が、がたつくのを確実に抑制することができる。
【００１６】
上記一の局面による携帯端末装置において、好ましくは、表示部側筐体を、操作部側筐体に対して第１方向にスライド移動させた場合に用いる第１操作キーと、表示部側筐体を、操作部側筐体に対して第２方向にスライド移動させた場合に用いる第２操作キーとを含む１つの操作キー部をさらに備える。このように構成すれば、表示部側筐体の操作部側筐体に対するスライド位置に応じて１つの操作キー部を、第１操作キーと第２操作キーとに使い分けて使用することができるので、第１操作キーと第２操作キーとを別々の部材として設ける場合と異なり、部品点数の増加を抑制することができるとともに、携帯端末装置の構造を簡素化させることができる。
【００１７】
上記一の局面による携帯端末装置において、好ましくは、スライドプレートと操作部側筐体との間を連結するように設けられ、表示部側筐体を操作部側筐体に対して第１方向に相対的にスライド移動させる際に、第１方向へのスライド移動方向に付勢力を発生させる第１バネ部材と、スライドプレートと表示部側筐体との間を連結するように設けられ、表示部側筐体を操作部側筐体に対して第２方向に相対的にスライド移動させる際に、第２方向へのスライド移動方向に付勢力を発生させる第２バネ部材とをさらに備える。このように構成すれば、第１バネ部材および第２バネ部材の付勢力を利用して表示部側筐体を操作部側筐体に対して第１方向および第２方向へスライド移動させることができるので、ユーザは、スライド動作を容易に行うことができる。
【図面の簡単な説明】
【００１８】
【図１】本発明の一実施形態による携帯電話機が縦方向にスライドされた場合を示した斜視図である。
【図２】本発明の一実施形態による携帯電話機が横方向にスライドされた場合を示した斜視図である。
【図３】本発明の一実施形態による携帯電話機がスライドされない初期状態である場合を示した斜視図である。
【図４】図１に示した一実施形態による携帯電話機の操作部側本体の構成を示した分解斜視図である。
【図５】図１に示した一実施形態による携帯電話機の表示部側本体の構成を示した分解斜視図である。
【図６】図１に示した一実施形態による携帯電話機のスライド機構を説明するための分解斜視図である。
【図７】図６に示したスライドプレートと操作部側筐体の上部蓋との係合状態を示した部分断面図である。
【図８】図６に示したスライドプレートと表示部側筐体の下部ケーシングとの係合状態を示した部分断面図である。
【図９】図６に示したスライドプレートと操作部側筐体の上部蓋との係合状態を示した斜視図である。
【図１０】図６に示したスライドプレートと操作部側筐体の上部蓋との係合状態を示した斜視図である。
【図１１】図６に示したスライドプレートと表示部側筐体の下部ケーシングとの係合状態を示した斜視図である。
【図１２】図６に示したスライドプレートと表示部側筐体の下部ケーシングとの係合状態を示した斜視図である。
【図１３】図２に示した表示部側筐体が操作部側筐体に対してＸ方向にスライド移動する際のバネ部材の配置について説明するための平面図である。
【図１４】図２に示した表示部側筐体が操作部側筐体に対してＸ方向にスライド移動する際のバネ部材の配置について説明するための平面図である。
【図１５】図２に示した表示部側筐体が操作部側筐体に対してＸ方向にスライド移動する際のバネ部材の配置について説明するための平面図である。
【図１６】図１に示した表示部側筐体が操作部側筐体に対してＹ方向にスライド移動する際のバネ部材の配置について説明するための平面図である。
【図１７】図１に示した表示部側筐体が操作部側筐体に対してＹ方向にスライド移動する際のバネ部材の配置について説明するための平面図である。
【図１８】図１に示した表示部側筐体が操作部側筐体に対してＹ方向にスライド移動する際のバネ部材の配置について説明するための平面図である。
【図１９】本発明の一実施形態の変形例によるスライドプレートの構成を示した斜視図である。
【発明を実施するための形態】
【００１９】
以下、本発明を具体化した実施形態を図面に基づいて説明する。
【００２０】
まず、図１〜図１８を参照して、本発明の一実施形態による携帯電話機１００の構成について説明する。なお、本実施形態では、本発明の携帯端末装置の一例として、表示部側本体が操作部側本体に対してＸ−Ｙ方向にスライド移動するスライド型の携帯電話機１００に、本発明を適用した場合について説明する。
【００２１】
本発明の一実施形態による携帯電話機１００は、スライド機構を備えた携帯端末装置として構成されている。すなわち、携帯電話機１００は、図１に示すように、平面的に見て（Ｚ方向から見て）縦長形状を有する操作部側本体１０と、操作部側本体１０の上面側（Ｚ１側）に取り付けられ、操作部側本体１０に対して図１のＹ方向および図２のＸ方向にスライド移動が可能である表示部側本体３０とを備えている。なお、Ｘ方向およびＹ方向は、それぞれ、本発明の「第１方向」および「第２方向」の一例である。
【００２２】
また、携帯電話機１００は、初期状態では図３に示すように、ユーザが表示部側本体３０をスライド移動させずに操作部側本体１０の上に完全に重ねることによって、携帯電話機１００の平面積を最も小さくした状態で保持できるように構成されている。
【００２３】
また、操作部側本体１０は、図４に示すように、操作部側筐体１３と、操作回路基板１４と、操作キー部１５とによって構成されている。操作部側筐体１３は、ダイキャスト成形による金属製（Ｍｇ製またはＡｌ製）の蓋部材１１が、ポリカーボネート（ＰＣ）やＡＢＳ樹脂からなる樹脂製のケーシング部材１２に対してＺ方向に嵌め込まれて形成されている。また、操作回路基板１４は、操作部側筐体１３の内部に収納されるとともに携帯電話機１００に種々の機能を実現させる役割を有している。また、操作キー部１５は、略Ｌ字状の板状（シート状）に形成されており、蓋部材１１の所定の領域上を覆うように配置されている。また、操作キー部１５は、図示しないＦＰＣ（フレキシブルプリント基板）を介して操作回路基板１４と接続されている。なお、蓋部材１１とケーシング部材１２とを含む操作部側筐体１３は、本発明の「操作部側筐体」の一例である。また、操作回路基板１４および操作キー部１５は、本発明の「操作部」の一例である。
【００２４】
また、表示部側本体３０は、図５に示すように、表示部側筐体３３と、液晶ディスプレイからなる表示部３４とによって構成されている。表示部側筐体３３は、ポリカーボネート（ＰＣ）やＡＢＳ樹脂からなる樹脂製のパネル部３１が、ダイキャスト成形による金属製（Ｍｇ製またはＡｌ製）のケーシング部材３２に対してＺ方向に嵌め込まれて形成されている。また、表示部３４は、表示部側筐体３３の内部に収納されるとともにＦＰＣ（図示せず）を介して操作回路基板１４（図４参照）と接続されるように構成されている。これにより、図１に示すように、表示部側本体３０を所定の方向（Ｙ方向）にスライド移動させた状態では、ユーザは、表示部３４を見ながら、操作キー部１５（図４参照）のうちの操作部側本体１０の上面に露出する領域１５ａの操作キーを介して携帯電話機１００を操作するように構成されている。なお、パネル部３１とケーシング部材３２とを含む表示部側筐体３３は、本発明の「表示部側筐体」の一例である。
【００２５】
ここで、本実施形態では、図６に示すように、操作部側本体１０（図４参照）側のケーシング部材１２と、表示部側本体３０（図５参照）側のケーシング部材３２とは、操作部側本体１０と表示部側本体３０との間に配置された約０．５ｍｍ以上約０．６ｍｍ以下の厚みを有する板金製（金属製）のスライドプレート５０を介して接続されている。
【００２６】
このスライド機構について、以下に詳細に説明する。まず、図６に示すように、操作部側本体１０（図４参照）を構成する金属製の蓋部材１１に、一対のガイド部１１ａが一体的に形成されている。このガイド部１１ａは、蓋部材１１のうちの操作キー部１５（図４参照）が配置されない略矩形状の領域１１ｂに形成されている。また、一対のガイド部１１ａは、領域１１ｂのＹ方向の端部近傍においてＸ方向に沿って延びるように形成されている。なお、ガイド部１１ａは、本発明の「操作部側ガイド部」の一例である。
【００２７】
また、図６および図７に示すように、一対のガイド部１１ａは、それぞれ、蓋部材１１から上方（Ｚ１方向）に略垂直に約２ｍｍの高さを有して突出する側壁部１１ｃと、側壁部１１ｃの上端部からＹ１方向およびＹ２方向にそれぞれ略直角に向きを変えて延びる軒部１１ｄとを有している。すなわち、ガイド部１１ａは、Ｌ字状の断面形状を有する。また、各々のガイド部１１ａは、蓋部材１１（領域１１ｂ）の上面と側壁部１１ｃと軒部１１ｄとによって囲まれたＸ方向に延びる溝状の領域（図７参照）内に、良好な摺動性を有するＰＯＭ（ポリアセタール）などからなる樹脂製のスライダ５１を保持することが可能に構成されている。また、スライダ５１は、約０．５ｍｍの肉厚ｔ（図７参照）を有するとともに断面が略Ｕ字状に形成された溝部５１ａを有している。溝部５１ａは、ガイド部１１ａの延びる方向（図６のＸ方向）に沿って略直線状に延びるように形成されている。なお、スライダ５１は、本発明の「第１スライド部材」の一例である。
【００２８】
また、図６に示すように、表示部側本体３０（図５参照）を構成するケーシング部材３２には、一対のガイド部３２ａが一体的に形成されている。すなわち、一対のガイド部３２ａは、ケーシング部材３２の内側のＸ方向の両端部近傍においてＹ方向に沿って延びるように形成されている。なお、ガイド部３２ａはケーシング部材３２の下面３２ｄ側に露出するように形成されているので、図６では、ガイド部３２ａを破線で示している。なお、ガイド部３２ａは、本発明の「表示部側ガイド部」の一例である。
【００２９】
また、図６および図８に示すように、一対のガイド部３２ａは、それぞれ、ケーシング部材３２のＸ方向の側壁部３２ｂと、側壁部３２ｂから水平方向（Ｘ１方向およびＸ２方向）に突出する梁部３２ｃとを有している。また、各々のガイド部３２ａは、ケーシング部材３２の下面３２ｄと側壁部３２ｂと梁部３２ｃとによって囲まれたＹ方向に延びる溝部３２ｅ（図８参照）に、樹脂製のスライダ５２を保持することが可能であるように構成されている。また、スライダ５２は、約０．５ｍｍの肉厚ｔ（図８参照）を有するとともに断面が略Ｕ字状に形成された溝部５２ａを有しており、ガイド部３２ａの延びる方向（図６のＹ方向）に沿って略直線状に延びるように形成されている。なお、スライダ５２は、本発明の「第２スライド部材」の一例である。
【００３０】
また、図６に示すように、スライドプレート５０は、略矩形状の平坦部５０ａと、平坦部５０ａの縁部に板金の折り曲げ加工によって一体的に形成された一対のエッジ部５０ｂおよび一対のエッジ部５０ｃとによって構成されている。また、エッジ部５０ｂは、平坦部５０ａのＹ方向の端部においてＸ方向に延びるように設けられている。また、エッジ部５０ｃは、平坦部５０ａのＸ方向の端部においてＹ方向に延びるように設けられている。また、エッジ部５０ｂは、平坦部５０ａよりもＺ２側に約２ｍｍシフトした位置に形成されるとともに、エッジ部５０ｃは、平坦部５０ａよりもＺ１側に約２ｍｍシフトした位置に形成されている。なお、エッジ部５０ｂおよび５０ｃを、平坦部５０ａに対して約２ｍｍシフトさせて形成することにより、エッジ部と平坦部とのＺ２方向およびＺ１方向の隙間に、それぞれ、後述するバネ部材６１および６２を配置することが可能に構成されている。なお、エッジ部５０ｂは、本発明の「第１係合部」の一例であり、エッジ部５０ｃは、本発明の「第２係合部」の一例である。
【００３１】
したがって、本実施形態では、図７に示すように、スライドプレート５０は、ガイド部１１ａに保持されたスライダ５１の溝部５１ａに沿ってエッジ部５０ｂが嵌め込まれた状態で、スライダ５１を介して操作部側本体１０の蓋部材１１に対してＸ方向にスライド移動されるように構成されている。すなわち、Ｘ方向へのスライド移動は、スライドプレート５０が、図９に示した状態から図１０（図１）に示した状態へ変化するように構成されている。この場合、スライダ５１は、ガイド部１１ａ側に固定されているので、スライドプレート５０のエッジ部５０ｂが、スライダ５１の溝部５１ａ（図７参照）の内側面に対して摺動するように構成されている。
【００３２】
また、図８に示すように、表示部側本体３０のケーシング部材３２は、ガイド部３２ａに保持されたスライダ５２の溝部５２ａに沿ってエッジ部５０ｃが嵌め込まれた状態で、スライダ５２を介して表示部側本体３０のケーシング部材３２に対してＹ方向にスライド移動されるように構成されている。すなわち、Ｙ方向へのスライド移動は、スライドプレート５０がガイド部１１ａに保持されてＹ方向への移動が規制された状態（図９などを参照）において、表示部側本体３０のケーシング部材３２が、図１１に示した状態から図１２（図２）に示した状態へ変化するように構成されている。この場合、スライダ５２は、スライドプレート５０のエッジ部５０ｃ側に固定されているので、ガイド部３２ａの内側面（下面３２ｄ（図８参照）と側壁部３２ｂと梁部３２ｃとによって囲まれた溝部３２ｅ）が、スライダ５２の外側面に対して摺動するように構成されている。なお、図１２では、便宜的にケーシング部材３２の下面３２ｄを含めた上部領域を切除した状態でケーシング部材３２の内部を図示している。
【００３３】
また、本実施形態では、図６に示すように、蓋部材１１の一方側（Ｙ２側）のガイド部１１ａには、軒部１１ｄから上方（Ｚ１方向）に所定の高さだけ突出するピン状の突起部１１ｅが形成されている。また、図６に示すように、表示部側本体３０のケーシング部材３２には、下面３２ｄ側に平面的に見て略Ｌ字形状を有するガイド溝３２ｆ（破線で示す）が形成されている。また、表示部側本体３０が、スライドプレート５０を介して操作部側本体１０と組み合わされた場合、突起部１１ｅがガイド溝３２ｆに挿入されるように構成されている。これにより、ケーシング部材３２が蓋部材１１に対してスライドする際、突起部１１ｅがガイド溝３２ｆの内部をＸ方向またはＹ方向に沿って移動するように構成されている。なお、ガイド溝３２ｆがＬ字形状に形成されているので、ケーシング部材３２が蓋部材１１に対してＹ方向にスライドする際、突起部１１ｅのＸ方向への移動が規制されるとともに、ケーシング部材３２が蓋部材１１に対してＸ方向にスライドする際、突起部１１ｅのＹ方向への移動が規制される。これにより、表示部側本体３０は、操作部側本体１０に対してＸ方向またはＹ方向のいずれか一方向にのみスライド移動されるように構成されている。なお、ガイド溝３２ｆは下面３２ｄ側からＺ１方向に沿ってケーシング部材３２内に所定の深さを有する溝状に形成されていてもよいし、ケーシング部材３２をＺ１方向に貫通した貫通孔であってもよい。
【００３４】
本実施形態では、上述のようなスライド機構を備えることによって、ユーザが、図３に示した初期状態から、表示部側本体３０を操作部側本体１０に対してＸ方向およびＹ方向のいずれか一方にスライドさせた状態で携帯電話機１００を使用することが可能とされている。すなわち、ユーザが表示部側本体３０をＹ１方向にスライド移動させた場合、図１に示すように、操作キー部１５のうちの操作部側本体１０の上面に露出する領域１５ａに対応する操作キーを操作して携帯電話機１００を携帯電話として使用することが可能である。また、ユーザが表示部側本体３０をＸ１方向にスライド移動させた場合、図２に示すように、操作キー部１５のうちの操作部側本体１０の上面に露出する領域１５ｂに対応する操作キーを操作して携帯電話機１００を情報入力端末（ＰＤＡなど）として使用されるように構成されている。なお、領域１５ｂに対応する操作キー、および、領域１５ａに対応する操作キーは、それぞれ、本発明の「第１操作キー」および「第２操作キー」の一例である。
【００３５】
また、本実施形態では、図６に示すように、蓋部材１１とスライドプレート５０との間に、ねじりバネからなるバネ部材６１が回動可能に取り付けられている。具体的には、バネ部材６１のリング状の端部６１ａが、蓋部材１１にＺ１方向に突出するように設けられたボス部１１ｆに対して回動可能に係合されるとともに、バネ部材６１のリング状の端部６１ｂが、スライドプレート５０の平坦部５０ａの下面側に設けられたボス部５０ｄに対して回動可能に係合されている。なお、バネ部材６１は、本発明の「第１バネ部材」の一例である。
【００３６】
これにより、表示部側本体３０が操作部側本体１０の上に完全に重ねられた状態（図３の初期状態）では、バネ部材６１（破線で示す）が図１３に示す位置に配置されることにより、バネ部材６１の弾性力を利用してケーシング部材３２（図１１参照）が常にＸ２側に押し付けられるように構成されている。一方、ユーザが表示部側本体３０（図３参照）を操作部側本体１０に対してＸ１側にスライドさせ始めると、図１４に示すように、スライドプレート５０のボス部５０ｄが蓋部材１１のボス部１１ｆに対してＸ１方向に移動することにより、バネ部材６１は端部６１ａを回動中心としてＡ方向に徐々に回動されるように構成されている。なお、バネ部材６１がＡ方向に回動し始める際、バネ部材６１は端部６１ａと６１ｂとの距離が縮められるように変形するので、ユーザは、バネ部材６１のＸ２側への付勢力に抗して表示部側本体３０をＸ１側にスライド移動させることになる。また、上記のスライド動作においてバネ部材６１がＡ方向へ回動される際、バネ部材６１の回動動作の途中で、バネ部材６１の付勢力がＸ２方向からＸ１方向に切り換わるように構成されている。そして、表示部側本体３０のＸ１側へのスライド移動が完全に行われた状態では、バネ部材６１（破線で示す）は図１５に示した位置に配置されることにより、バネ部材６１の弾性力を利用してケーシング部材３２（図１１参照）が常にＸ１側に押し付けられるように構成されている。なお、表示部側本体３０をＸ１側からＸ２側へスライドさせる場合も、スライド動作の途中で、バネ部材６１は、上述とは反対方向（Ｂ方向）に回動しながら付勢力の方向がＸ１側からＸ２側へ切り換わるように構成されている。このように、ユーザが表示部側本体３０をＸ方向に往復移動させる際は、バネ部材６１の回動に伴う付勢方向の変化を利用して、表示部側本体３０（図３参照）のスライド動作をアシストするように構成されている。なお、図１３〜図１５では、図面の都合上、スライドプレート５０上のケーシング部材３２を除いた状態（ただし、蓋部材１１の突起部１１ｅと係合するガイド溝３２ｆの位置のみを二点鎖線で示す）で図示している。
【００３７】
また、同様に、ケーシング部材３２とスライドプレート５０との間に、ねじりバネからなるバネ部材６２が回動可能に取り付けられている。具体的には、バネ部材６２のリング状の端部６２ａが、ケーシング部材３２（下面３２ｄ）にＺ２方向に突出するように設けられたボス部３２ｇに対して回動可能に係合されるとともに、バネ部材６２のリング状の端部６２ｂが、スライドプレート５０の平坦部５０ａの上面側に設けられたボス部５０ｅに対して回動可能に係合されている。なお、バネ部材６２は、本発明の「第２バネ部材」の一例である。
【００３８】
これにより、表示部側本体３０（図１参照）が操作部側本体１０の上に完全に重ねられた状態では、バネ部材６２が図１６に示す位置に配置されることにより、バネ部材６２の弾性力を利用してケーシング部材３２（図１１参照）が常にＹ２側に押し付けられるように構成されている。一方、ユーザが表示部側本体３０（図１参照）を操作部側本体１０に対してＹ１側にスライド移動させ始めると、図１７に示すように、ケーシング部材３２のボス部３２ｇがスライドプレート５０のボス部５０ｅに対してＹ１側に移動することにより、バネ部材６２は、端部６２ａを回動中心としてＢ方向に徐々に回動されるように構成されている。なお、バネ部材６２がＢ方向に回動し始める際、バネ部材６２は端部６２ａと６２ｂとの距離が縮められるように変形するので、ユーザは、バネ部材６２のＹ２側への付勢力に抗して表示部側本体３０をＹ１側にスライド移動させることになる。また、上記のスライド動作においてバネ部材６２がＢ方向へ回動される際、バネ部材６２の回動動作の途中で、バネ部材６２の付勢力がＹ２方向からＹ１方向に切り換わるように構成されている。そして、表示部側本体３０のＹ１側へのスライド移動が完全に行われた状態では、バネ部材６２は図１８に示した位置に配置されることにより、バネ部材６２の弾性力を利用してケーシング部材３２（図１１参照）が常にＹ１側に押し付けられるように構成されている。また、表示部側本体３０をＹ１側からＹ２側へスライドさせる場合も、スライド動作の途中で、バネ部材６２は、上述とは反対方向（Ａ方向）に回動しながら付勢力の方向がＹ１側からＹ２側へ切り換わるように構成されている。このように、ユーザが表示部側本体３０をＹ方向に往復移動させる際は、バネ部材６２の回動に伴う付勢方向の変化を利用して表示部側本体３０（図１参照）のスライド動作をアシストするように構成されている。なお、図１６〜図１８では、図面の都合上、スライドと同時に露出する操作キー部１５（図１の領域１５ａなど）を除いた状態で図示している。また、図１６〜図１８では、蓋部材１１の突起部１１ｅと係合するケーシング部材３２のガイド溝３２ｆのスライド位置を二点鎖線で示している。
【００３９】
本実施形態では、上記のように、スライダ５１およびスライダ５２を設けるとともに、操作部側本体１０のガイド部１１ａを、スライダ５１を介してスライドプレート５０と係合させ、かつ、表示部側本体３０のガイド部３２ａを、スライダ５２を介してスライドプレート５０と係合させることによって、スライドプレート５０とガイド部１１ａとの間、および、スライドプレート５０とガイド部３２ａとの間に、それぞれ、スライダ５１およびスライダ５２が介在する分、スライドプレート５０とガイド部１１ａとの間の隙間（図７参照）、および、スライドプレート５０とガイド部３２ａとの間の隙間（図８参照）を、より小さくすることができる。これにより、表示部側本体３０を操作部側本体１０に対してスライド移動させる際に、表示部側本体３０および操作部側本体１０の両方のがたつきを抑制することができる。
【００４０】
また、本実施形態では、スライドプレート５０を金属製とするとともに、スライダ５１およびスライダ５２を、共に良好な摺動性を有するＰＯＭなどからなる樹脂製とすることによって、たとえば、スライドプレート５０とスライダ５１（５２）とが共に金属製である場合と比較して、スライドプレート５０とスライダ５１とが擦れ合う際の摩擦音、および、スライドプレート５０とスライダ５２とが擦れ合う際の摩擦音を、金属部材に対する樹脂部材の接触によって、より低減することができる。したがって、スライド移動時に発生する音を低減しながら、スライド移動時のがたつきを低減することができる。
【００４１】
また、本実施形態では、ガイド部１１ａを、操作部側本体１０の蓋部材１１に一体的に設けるとともに、ガイド部３２ａを、表示部側本体３０のケーシング部材３２に一体的に設けることによって、ガイド部１１ａを蓋部材１１とは別部材で設けたり、ガイド部３２ａをケーシング部材３２とは別部材で設けたりする場合と異なり、携帯電話機１００を構成する部品点数が増加するのを抑制することができる。その結果、スライド機構を簡素化させることができる。
【００４２】
また、本実施形態では、スライダ５１を、溝部５１ａがスライドプレート５０のエッジ部５０ｂを挟み込むように配置された状態で、操作部側本体１０のガイド部１１ａに係合させるように構成するとともに、スライダ５２を、溝部５２ａがスライドプレート５０のエッジ部５０ｃを挟み込むように配置された状態で、表示部側本体３０のガイド部３２ａに係合させるように構成することによって、スライダ５１およびスライダ５２は、共にスライドプレート５０を挟み込んだ状態でスライドプレート５０を摺動可能に保持することができるので、表示部側本体３０を操作部側本体１０に対してスライド移動させる際に、双方の筐体が、がたつくのを確実に抑制することができる。
【００４３】
また、本実施形態では、操作部側本体１０に対してＸ方向にスライド移動させた場合に表示部側本体３０に対して使用される領域１５ｂの操作キーと、操作部側本体１０に対してＹ方向にスライド移動させた場合に表示部側本体３０に対して使用される領域１５ａの操作キーとを含む１つの操作キー部１５を備えることによって、表示部側本体３０の操作部側本体１０に対するスライド位置に応じて１つの操作キー部１５を、領域１５ｂの操作キーと領域１５ａの操作キーとに使い分けて使用することができるので、これらの操作キーを別々の操作キー部として設ける場合と異なり、部品点数の増加を抑制することができるとともに、携帯電話機１００（操作部側本体１０）の構造を簡素化させることができる。
【００４４】
また、本実施形態では、スライドプレート５０と操作部側本体１０との間を連結するように設けられ、表示部側本体３０を操作部側本体１０に対してＸ方向に相対的にスライド移動させる際に、Ｘ方向へのスライド移動方向に付勢力を発生させるバネ部材６１を備えることによって、バネ部材６１の付勢力を利用して表示部側本体３０を操作部側本体１０に対してＸ方向（Ｘ１方向およびＸ２方向）にスライド移動させることができるので、ユーザは、Ｘ方向へのスライド動作を容易に行うことができる。
【００４５】
また、本実施形態では、スライドプレート５０と表示部側本体３０との間を連結するように設けられ、表示部側本体３０を操作部側本体１０に対してＹ方向に相対的にスライド移動させる際に、Ｙ方向へのスライド移動方向に付勢力を発生させるバネ部材６２を備えることによって、バネ部材６２の付勢力を利用して表示部側本体３０を操作部側本体１０に対してＹ方向（Ｙ１方向およびＹ２方向）にスライド移動させることができるので、ユーザは、Ｙ方向へのスライド動作を容易に行うことができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記実施形態では、携帯端末装置としての一例である携帯電話機１００に本発明を適用した例を示したが、本発明はこれに限らず、表示部側筐体が操作部側筐体に対してスライド移動可能な携帯端末装置であれば、携帯電話機以外の携帯端末装置として、たとえば、表示部側筐体を第１方向にスライドさせた場合にゲーム機器の機能を有するとともに、表示部側筐体を第１方向と直交する第２方向にスライドさせた場合にＰＣ機器の機能を有するように構成された携帯端末装置などにも適用可能である。
【００４８】
また、上記実施形態では、ねじりバネからなるバネ部材６１および６２を用いて表示部側本体３０の操作部側本体１０に対するＸ方向およびＹ方向のスライド動作を制御（アシスト）するように構成した例について示したが、本発明はこれに限られない。たとえば、ねじりバネ以外の板バネやコイルバネなどのバネ部材（付勢部材）などを用いてもよい。
【００４９】
また、上記実施形態では、スライドプレート５０を板金（金属製）により形成した例について示したが、本発明はこれに限らず、樹脂成型品からなるスライドプレートを用いてもよい。
【００５０】
また、上記実施形態では、スライドプレート５０と蓋部材１１と間のスライド機構において、スライダ５１をガイド部１１ａの溝状の領域内に固定することにより、スライドプレート５０（エッジ部５０ｂ）が溝部５１ａ（図７参照）の内側面に対して滑るように構成した例について示したが、本発明はこれに限られない。たとえば、図１９に示した本発明の一実施形態の変形例のように、エッジ部５０ｂと略同じ長さに形成されたスライダ７１を予めスライドプレート７０のエッジ部５０ｂに嵌め込んでエッジ部５０ｂ側に固定するように構成してもよい。この場合、金属製のスライドプレート７０に樹脂製のスライダ５１および７１をインサート成形により一体的に形成してもよい。この場合、エッジ部５０ｂに固定されたスライダ７１の外側面が、ガイド部３２ａの内側面（図８に示す下面３２ｄと側壁部３２ｂと梁部３２ｃとによって囲まれた領域）に対して摺動するように構成される。なお、スライダ７１は、本発明の「第１スライド部材」の一例である。この変形例ように構成すれば、スライダ７１およびスライダ５２を予めスライドプレート７０に取り付けた状態で、操作部側本体１０および表示部側本体３０と組み合わせることができるので、携帯電話機１００の組立作業をより簡素化することができる。
【００５１】
また、上記実施形態では、蓋部材１１にピン状の突起部１１ｅを形成するとともに、ケーシング部材３２にガイド溝３２ｆを形成した例について示したが、本発明はこれに限らず、蓋部材１１にガイド溝を形成するとともに、ケーシング部材３２にガイド溝と係合する突起部を形成してもよい。
【００５２】
また、上記実施形態では、表示部側本体３０が操作部側本体１０に対してＸ方向およびＸ方向と直交するＹ方向にスライド移動可能であるように構成した例について示したが、本発明はこれに限られない。たとえば、本発明の「第１方向」および「第２方向」が互いに交差する方向であれば、表示部側本体３０が操作部側本体１０に対してＸ方向およびＹ方向以外の方向にスライド移動可能に構成されていてもよい。
【符号の説明】
【００５３】
１１  蓋部材（操作部側筐体）
１１ａ  ガイド部（操作部側ガイド部）
１２  ケーシング部材（操作部側筐体）
１３  操作部側筐体
１４  操作回路基板（操作部）
１５  操作キー部（操作部）
３１  パネル部（表示部側筐体）
３２  ケーシング部材（表示部側筐体）
３２ａ  ガイド部（表示部側ガイド部）
３３  表示部側筐体
３４  表示部
５０、７０  スライドプレート
５０ｂ  エッジ部（第１係合部）
５０ｃ  エッジ部（第２係合部）
５１、７１  スライダ（第１スライド部材）
５２  スライダ（第２スライド部材）
６１  バネ部材（第１バネ部材）
６２  バネ部材（第２バネ部材）
【図１】
2011015181.tif 000003
【図２】
2011015181.tif 000004
【図３】
2011015181.tif 000005
【図４】
2011015181.tif 000006
【図５】
2011015181.tif 000007
【図６】
2011015181.tif 000008
【図７】
2011015181.tif 000009
【図８】
2011015181.tif 000010
【図９】
2011015181.tif 000011
【図１０】
2011015181.tif 000012
【図１１】
2011015181.tif 000013
【図１２】
2011015181.tif 000014
【図１３】
2011015181.tif 000015
【図１４】
2011015181.tif 000016
【図１５】
2011015181.tif 000017
【図１６】
2011015181.tif 000018
【図１７】
2011015181.tif 000019
【図１８】
2011015181.tif 000020
【図１９】
2011015181.tif 000021